(57)【要約】【課題】支持部材を継ぎ足すような面倒な作業を要することなく、少ない支持部材で容易に能率よくつり合い重りを支持することができるつり合い重りの支持装置および支持方法を提供することにある。【解決手段】エレベータの昇降路１のピット部１ａでつり合い重り２を支持する支持装置において、つり合い重り２の昇降をガイドする一対のガイドレール３の下部の相互間に支え具１２を水平に架設して取り付け、そのガイドレール３の相互間に単一の棒状物からなる一対の支持部材１０を配し、これら支持部材１０をその下端を前記ピット部１ａの床面に突き当てるとともに、中間部を前記支え具１２で支持して垂直に起立させ、この状態でつり合い重り２をガイドレール３に沿って下げ降ろし、前記起立させた支持部材１０の上端に突き当てて支持する。【選択図】図１
2007314339.tif 000002
【特許請求の範囲】
【請求項１】
エレベータの昇降路のピット部でつり合い重りを支持する支持装置において、
つり合い重りの昇降をガイドする一対のガイドレールの下部の相互間に支え具を水平に架設して取り付け、そのガイドレールの相互間に単一の棒状物からなる１つまたは複数の支持部材を配し、該支持部材をその下端を前記ピット部の床面に突き当てるとともに、中間部を前記支え具で支持して垂直に起立させ、この起立させた支持部材の上端に前記つり合い重を突き当てて支持することを特徴とするつり合い重りの支持装置。
【請求項２】
一対のガイドレール間に架設される前記支え具がその長手方向に伸縮可能に構成されていることを特徴とする請求項１に記載の釣合い重りの支持装置。
【請求項３】
エレベータの昇降路のピット部でつり合い重りを支持する支持装置において、
つり合い重りの昇降をガイドする一対のガイドレールの下部の相互間に、単一の棒状物からなる２つの支持部材を前記一方のガイドレールと他方のガイドレールとに隣り合うように配し、各支持部材の下端を前記ピット部の床面に突き当てるとともに、互いに隣り合う支持部材とガイドレールとの間にそれぞれ支え具を水平に架設して取り付け、これら支え具で各支持部材を支持して垂直に起立させ、これら支持部材の上端に前記つり合い重を突き当てて支持することを特徴とするつり合い重りの支持装置。
【請求項４】
エレベータの昇降路のピット部でつり合い重りを支持する支持装置において、
つり合い重りの昇降をガイドする一対のガイドレールの下部の相互間に配置された緩衝器取付台の上面部に第１の支え具を、前記釣合い重りの下面部に第２の支え具をそれぞれ設け、これら支え具にはそれぞれ透孔が形成され、単一の棒状物からなる１つまたは複数の支持部材の下端部を前記第１の支え具の透孔に差し込んで前記ピット部の床面に突き当てることにより支持部材を垂直に起立させ、この支持部材の上端部に前記つり合い重の下面部の支え具の透孔を嵌合させて前記つり合い重りを支持することを特徴とするつり合い重りの支持装置。
【請求項５】
エレベータの昇降路のピット部でつり合い重りを支持する支持装置において、
つり合い重りの昇降をガイドする一対のガイドレールの下部の相互間に配置された緩衝器を覆うように箱形状の支え具を設け、この支え具は上面に突起部を一体的に有し、単一の棒状物からなる支持部材の下端部を前記支え具の突起部に嵌合して支持部材を垂直に起立させ、この支持部材の上端に前記つり合い重を突き当てて支持することを特徴とするつり合い重りの支持装置。
【請求項６】
エレベータの昇降路のピット部でつり合い重りを支持する支持方法であって、
つり合い重りの昇降をガイドする一対のガイドレールの下部の相互間に支え具を水平に架設して取り付け、そのガイドレールの相互間に単一の棒状物からなる１つまたは複数の支持部材を配し、該支持部材をその下端を前記ピット部の床面に突き当てるとともに、中間部を前記支え具で支持して垂直に起立させ、この状態で前記つり合い重りを前記ガイドレールに沿って下げ降ろして前記起立させた支持部材の上端に突き当てて該つり合い重りを支持することを特徴とするつり合い重りの支持方法。
【請求項７】
一対のガイドレール間に架設される前記支え具がその長手方向に伸縮可能に構成されていることを特徴とする請求項６に記載の釣合い重りの支持方法。
【請求項８】
エレベータの昇降路のピット部でつり合い重りを支持する支持方法であって、
つり合い重りの昇降をガイドする一対のガイドレールの下部の相互間に、単一の棒状物からなる２つの支持部材を前記一方のガイドレールと他方のガイドレールとに隣り合うように配し、各支持部材の下端を前記ピット部の床面に突き当てるとともに、互いに隣り合う支持部材とガイドレールとの間にそれぞれ支え具を水平に架設して取り付け、これら支え具で各支持部材を支持して垂直に起立させ、この状態で前記つり合い重りを前記ガイドレールに沿って下げ降ろして前記起立させた支持部材の上端に突き当てて該つり合い重りを支持することを特徴とするつり合い重りの支持方法。
【請求項９】
エレベータの昇降路のピット部でつり合い重りを支持する支持方法であって、
つり合い重りの昇降をガイドする一対のガイドレールの下部の相互間に配置された緩衝器取付台の上面部に第１の支え具を、前記釣合い重りの下面部に第２の支え具をそれぞれ設け、これら支え具にはそれぞれ透孔を形成してあり、単一の棒状物からなる１つまたは複数の支持部材の下端部を前記第１の支え具の透孔に差し込んで前記ピット部の床面に突き当てることにより支持部材を垂直に起立させ、この状態で前記つり合い重りを前記ガイドレールに沿って下げ降ろしながらその下面部の支え具の透孔を前記起立させた支持部材の上端部に嵌合させて該つり合い重りを支持することを特徴とするつり合い重りの支持方法。
【請求項１０】
エレベータの昇降路のピット部でつり合い重りを支持する支持方法であって、
つり合い重りの昇降をガイドする一対のガイドレールの下部の相互間に配置された緩衝器を覆うように箱形状の支え具を設け、この支え具は上面に突起部を一体的に有し、単一の棒状物からなる支持部材の下端部を前記支え具の突起部に嵌合して支持部材を垂直に起立させ、この状態で前記つり合い重りを前記ガイドレールに沿って下げ降ろして前記起立させた支持部材の上端に突き当てて該つり合い重りを支持することを特徴とするつり合い重りの支持方法。
【発明の詳細な説明】
【技術分野】
【０００１】
この発明は、エレベータのメインロープの交換時等につり合い重りを昇降路のピット部で支持するつり合い重りの支持装置および支持方法に関する。
【背景技術】
【０００２】
一般にエレベータは、建屋の昇降路内にメインロープを介して乗りかごとつり合い重りを吊り下げてなる。メインロープは昇降路の上部に設置された巻上機のシーブに巻き掛けられ、その巻上機による駆動で乗りかごとつり合い重りとが上下に昇降する。
【０００３】
メインロープは、経年により摩耗したり素線切れを起こしたりするので、安全対策上、劣化したメインロープは新たなメインロープと交換する必要がある。メインロープを交換する際には、つり合い重りを昇降路の下部のピット部にまで下げ降ろして支持装置で支持するとともに、乗りかごを昇降路の上部にチェーンブロック等で支持することによりメインロープの張力を除去し、この状態で古いメインロープを回収して新たなメインロープと交換するようにしている。
【０００４】
つり合い重りを昇降路のピット部にまで下げ降ろして支持するための支持装置は、特開平３−１２０１８９号公報に開示されている。この支持装置は、つり合い重りの下側に上下に分かれたパイプ状の２本の支持部材をつなぎ合わせ、その支持部材をピット部の床面に突き当てることによりつり合い重りを支持するようにしている。
【０００５】
【特許文献１】特開平３−１２０１８９号公報
【発明の開示】
【発明が解決しようとする課題】
【０００６】
しかしながら、特開平３−１２０１８９号公報に開示されている従来の支持装置では、つり合い重りの下側に２本の支持部材を順次つなぎ合わせてつり合い重りを支持する構造であるため、そのつなぎ合わせに手間がかかり、また支持部材の本数が増し、その管理や取り扱いが煩雑となり、作業能率が低下するという問題がある。
【０００７】
この発明はこのような点に着目してなされたもので、その目的とするところは、支持部材を継ぎ足すような面倒な作業を要することなく、少ない支持部材で容易に能率よくつり合い重りを支持することができるつり合い重りの支持装置および支持方法を提供することにある。
【課題を解決するための手段】
【０００８】
請求項１の発明は、エレベータの昇降路のピット部でつり合い重りを支持する支持装置において、つり合い重りの昇降をガイドする一対のガイドレールの下部の相互間に支え具を水平に架設して取り付け、そのガイドレールの相互間に単一の棒状物からなる１つまたは複数の支持部材を配し、該支持部材をその下端を前記ピット部の床面に突き当てるとともに、中間部を前記支え具で支持して垂直に起立させ、この起立させた支持部材の上端に前記つり合い重を突き当てて支持することを特徴とするつり合い重りの支持装置である。
【０００９】
請求項２の発明は、前記一対のガイドレール間に架設される前記支え具がその長手方向に伸縮可能に構成されていることを特徴としている。
【００１０】
請求項３の発明は、エレベータの昇降路のピット部でつり合い重りを支持する支持装置において、つり合い重りの昇降をガイドする一対のガイドレールの下部の相互間に、単一の棒状物からなる２つの支持部材を前記一方のガイドレールと他方のガイドレールとに隣り合うように配し、各支持部材の下端を前記ピット部の床面に突き当てるとともに、互いに隣り合う支持部材とガイドレールとの間にそれぞれ支え具を水平に架設して取り付け、これら支え具で各支持部材を支持して垂直に起立させ、これら支持部材の上端に前記つり合い重を突き当てて支持することを特徴とするつり合い重りの支持装置である。
【００１１】
請求項４の発明は、エレベータの昇降路のピット部でつり合い重りを支持する支持装置において、つり合い重りの昇降をガイドする一対のガイドレールの下部の相互間に配置された緩衝器取付台の上面部に第１の支え具を、前記釣合い重りの下面部に第２の支え具をそれぞれ設け、これら支え具にはそれぞれ透孔が形成され、単一の棒状物からなる１つまたは複数の支持部材の下端部を前記第１の支え具の透孔に差し込んで前記ピット部の床面に突き当てることにより支持部材を垂直に起立させ、この支持部材の上端部に前記つり合い重の下面部の支え具の透孔を嵌合させて前記つり合い重りを支持することを特徴とするつり合い重りの支持装置である。
【００１２】
請求項５の発明は、エレベータの昇降路のピット部でつり合い重りを支持する支持装置において、つり合い重りの昇降をガイドする一対のガイドレールの下部の相互間に配置された緩衝器を覆うように箱形状の支え具を設け、この支え具は上面に突起部を一体的に有し、単一の棒状物からなる支持部材の下端部を前記支え具の突起部に嵌合して支持部材を垂直に起立させ、この支持部材の上端に前記つり合い重を突き当てて支持することを特徴とするつり合い重りの支持装置である。
【００１３】
請求項６の発明は、エレベータの昇降路のピット部でつり合い重りを支持する支持方法であって、つり合い重りの昇降をガイドする一対のガイドレールの下部の相互間に支え具を水平に架設して取り付け、そのガイドレールの相互間に単一の棒状物からなる１つまたは複数の支持部材を配し、該支持部材をその下端を前記ピット部の床面に突き当てるとともに、中間部を前記支え具で支持して垂直に起立させ、この状態で前記つり合い重りを前記ガイドレールに沿って下げ降ろして前記起立させた支持部材の上端に突き当てて該つり合い重りを支持することを特徴とするつり合い重りの支持方法である。
【００１４】
請求項７の発明は、前記一対のガイドレール間に架設される前記支え具がその長手方向に伸縮可能に構成されていることを特徴としている。
【００１５】
請求項８の発明は、エレベータの昇降路のピット部でつり合い重りを支持する支持方法であって、つり合い重りの昇降をガイドする一対のガイドレールの下部の相互間に、単一の棒状物からなる２つの支持部材を前記一方のガイドレールと他方のガイドレールとに隣り合うように配し、各支持部材の下端を前記ピット部の床面に突き当てるとともに、互いに隣り合う支持部材とガイドレールとの間にそれぞれ支え具を水平に架設して取り付け、これら支え具で各支持部材を支持して垂直に起立させ、この状態で前記つり合い重りを前記ガイドレールに沿って下げ降ろして前記起立させた支持部材の上端に突き当てて該つり合い重りを支持することを特徴とするつり合い重りの支持方法である。
【００１６】
請求項９の発明は、エレベータの昇降路のピット部でつり合い重りを支持する支持方法であって、つり合い重りの昇降をガイドする一対のガイドレールの下部の相互間に配置された緩衝器取付台の上面部に第１の支え具を、前記釣合い重りの下面部に第２の支え具をそれぞれ設け、これら支え具にはそれぞれ透孔を形成してあり、単一の棒状物からなる１つまたは複数の支持部材の下端部を前記第１の支え具の透孔に差し込んで前記ピット部の床面に突き当てることにより支持部材を垂直に起立させ、この状態で前記つり合い重りを前記ガイドレールに沿って下げ降ろしながらその下面部の支え具の透孔を前記起立させた支持部材の上端部に嵌合させて該つり合い重りを支持することを特徴とするつり合い重りの支持方法である。
【００１７】
請求項１０の発明は、エレベータの昇降路のピット部でつり合い重りを支持する支持方法であって、つり合い重りの昇降をガイドする一対のガイドレールの下部の相互間に配置された緩衝器を覆うように箱形状の支え具を設け、この支え具は上面に突起部を一体的に有し、単一の棒状物からなる支持部材の下端部を前記支え具の突起部に嵌合して支持部材を垂直に起立させ、この状態で前記つり合い重りを前記ガイドレールに沿って下げ降ろして前記起立させた支持部材の上端に突き当てて該つり合い重りを支持することを特徴とするつり合い重りの支持方法である。
【発明の効果】
【００１８】
この発明によれば、支持部材を継ぎ足すような面倒な作業を要することなく、少ない支持部材で容易に能率よくつり合い重りを支持することができる。
【発明を実施するための最良の形態】
【００１９】
以下、この発明の実施の形態について図面を参照して説明する。
【００２０】
図１には第１の実施形態を示してあり、昇降路１にはつり合い重り２の昇降をガイドする一対のガイドレール３が平行に並んで上下に延びるように設けられている。昇降路１のピット部１ａには緩衝器取付台４が設置されている。この緩衝器取付台４は一対のガイドレール３の下端部間に渡って配置するようにピット部１ａの床面の上に設置され、その中間部に緩衝器５が取り付けられている。
【００２１】
つり合い重り２はメインロープ８により昇降路１内に吊り下げられ、巻上機（図示せず）による駆動で前記ガイドレール３に沿って上下に昇降する。つり合い重り２の下側には、いわゆる単管パイプと呼ばれる単一の棒状物である支持部材１０が一対垂直に設けられている。これら支持部材１０はそれぞれ一方向に延びる一体のパイプからなり、一対のガイドレール３間に配置されているとともにそれぞれその下端が緩衝器取付台４の内側の空間部を通してピット部１ａの床面に突き当てられている。
【００２２】
一対のガイドレール３間には支え具１２がボルトなどの締結具１３を介して水平に架設され、この支え具１２に前記一対の支持部材１０の上下方向の中間部がそれぞれ例えばＵボルト１４ａとナット１４ｂとからなる締結具１４を介して締結固定され、これにより各支持部材１０が垂直に起立するように支持されている。そして、メインロープ８の交換の際につり合い重り２を前記一対の支持部材１０で支持するようになっている。
【００２３】
メインロープ８を交換する際の作業手順について説明すると、まず昇降路１のピット部１ａにおいて、一対のガイドレール３間に支え具１２を締結具１３で取り付けて水平に架設し、またガイドレール３間に一対の支持部材１０を配置してそれぞれその下端をピット部１ａの床面に突き当てるとともに、中間部をＵボルト１４ａとナット１４ｂとからなる締結具１４で前記支え具１２に締結して垂直に支持する。
【００２４】
次に、巻上機（図示せず）を駆動してつり合い重り２を下げ降ろし、その下端を前記支持部材１０の上端に突き当ててそのつり合い重り２を支持し、また乗りかご（図示せず）を昇降路１の上部にチェーンブロックなどを用いて吊り上げてメインロープ８に加わっている張力を取り除く。
【００２５】
この状態で、古いメインロープ８をつり合い重り２および乗りかごから取り外して回収し、その古いメインロープ８に換えて新たなメインロープ８をつり合い重り２および乗りかごに連結する。そしてこの後、その交換したメインロープ８を介してつり合い重り２を引き上げ、支え具１２から各支持部材１０を取り外し、また支え具１２をガイドレール３から取り外す。
【００２６】
前述したように、従来においては、つり合い重りの下側に複数の支持部材を順次継ぎ足すように取り付け、その継ぎ足した支持部材でつり合い重りを支持する構造であるのに対し、本実施形態では、ガイドレール３の下部に、それぞれ所定の長さの単一品である支持部材１０を垂直に取り付け、その支持部材１０でつり合い重り２を支持する構造であり、このため支持部材１０を継ぎ足す作業が不要で、作業が簡略化し、容易に能率よく支持部材１０を据え付けて能率よくつり合い重り２を支持し、メインロープ８の交換作業を手際よく行なうことができる。
【００２７】
図２および図３には第２に実施形態を示してあり、この実施形態では、ガイドレール３の相互間に一対の支持部材１０が一方のガイドレール３および他方のガイドレール３とそれぞれ隣り合うように垂直に設けられ、その互いに隣り合う支持部材１０とガイドレール３との間にそれぞれ複数の支え具１２が架設され、このれら支え具１２を介して各支持部材１０が垂直に起立するように支持されている。
【００２８】
この場合にも、各支持部材１０は一方向に延びる単一の棒状物からなり、その下端がピット部１ａの床面に突き当てられている。各支え具１２は、図３に示すように、一端側の端部にコ字状の受部１６を有し、この受部１６に締結具としてのボルト１７が螺挿され、受部１６のコ字状空間部にガイドレール３の歯部３ａが介在し、その歯部３ａが前記ボルト１７で締め付けられることにより各支え具１２がガイドレール３に締結固定されている。
【００２９】
支え具１２の他端側の端部にはクランプ２０が設けられ、このクランプ２０により支持部材１０が支え具１２の端部に締結されている。このクランプ２０は支え具１２に取り付けられた固定片２０ａと、この固定片２０ａに対して開閉可能に取り付けられた可動片２０ｂとを有し、その固定片２０ａと可動片２０ｂとの間に支持部材１０を挟み込み、可動片２０ｂを締結具としてのナット２０ｃで締め付けることにより支持部材１０が支え具１２に締結固定されている。
【００３０】
このような支え具１２によりガイドレール３間に配置された一対の支持部材１０がその隣り合うガイドレール３に一定の間隔をあけて取り付けられている。支え具１２は、支持部材１０の下部とほぼ中間部とに振り分けて設けられている。そしてメインロープの交換時につり合い重り２を下げ降ろして前記支持部材１０の上端に突き当てることによりつり合い重り２を支持する。
【００３１】
このような実施形態においても、ガイドレール３の下部にそれぞれ所定の長さの単一品である支持部材１０を垂直に取り付け、その支持部材１０でつり合い重り２を支持する構造であり、このため支持部材１０を継ぎ足す作業が不要で、作業が簡略化し、容易に能率よく支持部材１０を据え付けて能率よくつり合い重り２を支持し、メインロープの交換作業を手際よく行なうことができる。
【００３２】
図４および図５には第３の実施形態を示してあり、ガイドレール３の相互間には一対の支持部材１０が垂直に設けられ、これら支持部材１０がガイドレール３間に架設された支え具１２を介して支持されている。そしてこの実施形態では、前記支え具１２がその長手方向に伸縮可能な構成となっている。
【００３３】
すなわち、支え具１２は、短冊状の中間プレート２１と、この中間プレート２１の両端側に配置された短冊状の可動プレート２２とを備え、各可動プレート２２にその長手方向に沿って長い長孔２３が形成され、その各長孔２３から中間プレート２１にボルト２４が螺挿され、これらボルト２４の締め付けで中間プレート２１に可動プレート２２が固定され、前記ボルト２４を緩め、中間プレート２１に対して可動プレート２２をその長手方向に移動して伸縮し、所定の位置で前記ボルト２４を再度締め付けることにより所定の長さの支え具１２とすることができるようになっている。
【００３４】
そして、各可動プレート２２の解放側の端部には、それぞれコ字状の受部２６が設けられ、これら受部２６に締結具としてのボルト２７が螺挿され、各受部２６のコ字状空間部にガイドレール３の歯部３ａが介在し、その歯部３ａが前記ボルト２７で締め付けられることにより支え具１２がガイドレール３に締結固定されている。
【００３５】
中間プレート２１の両端部にはそれぞれクランプ３０が設けられている。これらクランプ３０は中間プレート２１に取り付けられた固定片３０ａと、この固定片３０ａに対して開閉可能に取り付けられた可動片３０ｂとを有し、その固定片３０ａと可動片３０ｂとの間に支持部材１０を挟み込み、可動片３０ｂを締結具としてのナット３０ｃで締め付けることにより支持部材１０が中間プレート２１に締結固定されている。
【００３６】
支持部材１０を据え付ける手順について説明すると、まず支え具１２の長さを調整して一対のガイドレール３の間隔幅に合わせ、この支え具１２の両端側の受部２６のコ字状空間部をガイドレール３の歯部３ａに嵌合し、ボルト２７を締め付けて各受部２６を各ガイドレール３に固定して支え具１２をガイドレール３間に水平に架設する。
【００３７】
次に、支持部材１０をピット部１ａの床面の上に立て、その中間部を前記支え具１２のクランプ３０の固定片３０ａと可動片３０ｂとで挟み、かつナット３０ｃで締め付けて支持部材１０を起立状態に支持する。そして、この後、つり合い重り２を下げ降ろして前記支持部材１０の上端に突き当てて支持し、メインロープ８の交換作業を行なう。
【００３８】
この場合においても、支持部材１０を据え付ける際に、支持部材１０を継ぎ足すような作業が不要で、作業が簡略化し、容易に能率よく支持部材１０をピット部１ａの床面上に設置でき、したがってメインロープの交換作業を手際よく行なうことができる。
【００３９】
そして特にこの実施形態では、支え具１２が伸縮可能に構成されているから、一対のガイドレール３の間隔幅が異なる仕様のエレベータであっても、支え具１２の長さをそのガイドレール３の間隔幅に合うように調整して異なる仕様のエレベータに対して共通して支え具１２を用いることができる。
【００４０】
図６ないし図８には第４の実施形態を示してあり、この実施形態では緩衝器取付台４の上面部と、つり合い重り２の下面部とに支え具１２が設けられている。緩衝器取付台４の上面部に設けられた支え具１２は、図７および図８に示すように、平板３３の両側縁に側板３４を一体的に設けてなる断面コ字状をなし、側板３４を下側に向けて緩衝器取付台４の上に配置されている。支え具１２の平板３３には中間部に緩衝器５を通すための開口３５が形成され、両端部に支持部材１０を通すための円形の透孔３６が形成され、前記開口３５を通して緩衝器５が平板３３の上方側に突出している。
【００４１】
支え具１２の各側板３４には、その外側から内側に向けて締結具としてのボルト３９が螺挿され、これらボルト３９の先端部が緩衝器取付台４の側板に当接し、その両側のボルト３９の締め付けにより支え具１２が緩衝器取付台４に固定されている。そして、両側のボルト３９の螺進退長さを調整することにより、緩衝器取付台４に対して支え具１２をその緩衝器取付台４の長手方向と直交する前後方向に移動し、またボルト３９を緩めることにより支え具１２を緩衝器取付台４の長手方向に沿う左右方向に移動することができるよようになっている。
【００４２】
つり合い重り２の下面部に設けられた支え具１２も同様の構造でつり合い重り２に取り付けられ、平板３３の両端部に支持部材１０を通すための円形の透孔３６が形成されている。
【００４３】
支持部材１０を据え付ける際には、まず各支持部材１０の下端部を緩衝器取付台４に設けられている支え具１２の各透孔３６に差し込み、その支持部材１０の下端面をピット部１ａの床面に突き当てて各支持部材１０を起立させる。
【００４４】
次に、つり合い重り２を下げ降ろし、その下面部に設けられている支え具１２の各透孔３６を前記起立状態の各支持部材１０の上端部に嵌合し、つり合い重り２の下面を各支持部材１０の上端面に突き当てる。これにより、各支持部材１０が安定して支持されるとともに、その各支持部材１０でつり合い重り２が安定して支持される。そしてこの状態でメインロープの交換作業を行なう。
【００４５】
この場合においても、支持部材１０を据え付ける際に、支持部材１０を継ぎ足すような面倒な作業が不要で、作業が簡略化し、容易に能率よく支持部材１０をピット部１ａの床面上に設置でき、したがってメインロープの交換作業を手際よく行なうことができる。
【００４６】
図９ないし図１１には第５の実施形態を示してあり、この実施形態では、緩衝器取付台４の上に箱形状に構成された支え具１２が緩衝器５を覆うように設けられている。そしてこの支え具１２の上面に鋼管等からなる突起体１２ａが垂直に起立するように溶接等により一体的に取り付けられている。
【００４７】
支持部材１０を据え付ける際には、まず支持部材１０の下端部を緩衝器取付台４の上に設けられている支え具１２の突起体１２ａに差し込んで起立させる。次に、つり合い重り２を下げ降ろし、その下面を前記起立状態の支持部材１０の上端面に突き当てる。これにより、支持部材１０がつい合い重り２と支え具１２とで挟まれて安定して支持されるとともに、その支持部材１０でつり合い重り２が安定して支持される。そしてこの状態でメインロープの交換作業を行なう。
【００４８】
この場合においても、支持部材１０を据え付ける際に、支持部材１０を継ぎ足すような面倒な作業が不要で、作業が簡略化し、容易に能率よく支持部材１０を設置でき、したがってメインロープの交換作業を手際よく行なうことができる。
【図面の簡単な説明】
【００４９】
【図１】この発明の第１の実施形態に係る支持装置を示す斜視図。
【図２】この発明の第２の実施形態に係る支持装置を示す正面図。
【図３】その支持装置における支え具の構造を示す平面図。
【図４】この発明の第３の実施形態に係る支持装置を示す正面図。
【図５】その支持装置における支え具の構造を示す平面図。
【図６】この発明の第４の実施形態に係る支持装置を示す正面図。
【図７】その支持装置における支え具の構造を示す側面図。
【図８】同じく支え具の構造を示す平面図。
【図９】この発明の第５の実施形態に係る支持装置を示す正面図。
【図１０】その支持装置における支え具の構造を示す平面図。
【図１１】同じく支え具の構造を示す平面図。
【符号の説明】
【００５０】
１…昇降路
１ａ…ピット部
２…つり合い重り
３…ガイドレール
３ａ…歯部
４…緩衝器取付台
５…緩衝器
８…メインロープ
１０…支持部材
１２…支え具
１３…締結具
１４…締結具
１６…受部
２０…クランプ
２１…中間プレート
２２…可動プレート
３０…クランプ
３５…開口
３６…透孔
【図１】
2007314339.tif 000003
【図２】
2007314339.tif 000004
【図３】
2007314339.tif 000005
【図４】
2007314339.tif 000006
【図５】
2007314339.tif 000007
【図６】
2007314339.tif 000008
【図７】
2007314339.tif 000009
【図８】
2007314339.tif 000010
【図９】
2007314339.tif 000011
【図１０】
2007314339.tif 000012
【図１１】
2007314339.tif 000013